(57)【要約】【課題】光トランシーバを小さくできる光トランシーバシステムを提供すること。【解決手段】光トランシーバシステム１００は、光信号を伝送する光ケーブル１１０と、光ケーブルに配設されたコネクタ１２０と、コネクタを介して光ケーブルと接続されることにより光ケーブルを介した光信号の送受信を行う光トランシーバ１３０と、を含む。光トランシーバは、挿入方向に沿ってコネクタが挿入されることによりコネクタの少なくとも一部を収容し且つコネクタを光トランシーバに対して固定するレセプタクル部１３１を備え、コネクタを介して光ケーブルと接続される。コネクタは、一対の互いに平行な短辺と一対の互いに平行な長辺とを有する長方形状を有するとともに、挿入方向に直交し、且つ、光ケーブルを挿通するための貫通孔が形成された天板１２１と、天板の一対の短辺のそれぞれから挿入方向に沿って延び且つ互いに平行な一対の側板１２２と、を備える。【選択図】図１４
2011099996.tif 000002
【特許請求の範囲】
【請求項１】
光信号を伝送する光ケーブルと、前記光ケーブルに配設されたコネクタと、前記コネクタを介して前記光ケーブルと接続されることにより当該光ケーブルを介した光信号の送受信を行う光トランシーバと、を含む光トランシーバシステムであって、
前記光トランシーバは、
所定の挿入方向に沿って前記コネクタが当該光トランシーバに挿入されることにより当該コネクタの少なくとも一部を収容し、且つ、当該コネクタを収容している状態において当該コネクタを当該光トランシーバに対して固定するレセプタクル部を備え、
前記コネクタが前記レセプタクル部により当該光トランシーバに対して固定されている状態において、当該コネクタを介して前記光ケーブルと接続されるように構成され、
前記コネクタは、
一対の互いに平行な短辺と一対の互いに平行な長辺とを有する長方形状を有するとともに、前記挿入方向に直交し、且つ、前記光ケーブルを挿通するための貫通孔が形成された天板と、
前記天板の一対の短辺のそれぞれから前記挿入方向に沿って延び、且つ、互いに平行な一対の側板と、
を備える光トランシーバシステム。
【請求項２】
請求項１に記載の光トランシーバシステムであって、
前記光トランシーバは、
電気信号と光信号とを相互に変換する光モジュールと、
前記光モジュールが実装された基板と、
を備え、
前記レセプタクル部は、前記基板と、前記天板の長辺と、が平行になるように、前記コネクタを前記光トランシーバに対して固定する光トランシーバシステム。
【請求項３】
請求項１又は請求項２に記載の光トランシーバシステムであって、
前記光トランシーバは、
前記コネクタが前記レセプタクル部により当該光トランシーバに対して固定されている状態において、前記コネクタを挟持する筐体を備える光トランシーバシステム。
【請求項４】
請求項３に記載の光トランシーバシステムであって、
前記筐体は、前記コネクタの側板と当接することにより当該コネクタを挟持するように形成された光トランシーバシステム。
【請求項５】
請求項２乃至請求項４のいずれか一項に記載の光トランシーバシステムであって、
前記コネクタは、スリーブを備え、
前記光モジュールは、前記コネクタが前記レセプタクル部により当該光トランシーバに対して固定されている状態において、前記スリーブに収容されるフェルールを備える光トランシーバシステム。
【請求項６】
請求項５に記載の光トランシーバシステムであって、
前記コネクタは、
前記側板の、前記挿入方向に沿って延びる辺の一部から、当該側板に直交する方向に沿って延びる平板状の部材であって、前記スリーブの外壁面と当接するように形成された部材である移動抑制部を備える光トランシーバシステム。
【請求項７】
請求項５又は請求項６に記載の光トランシーバシステムであって、
前記コネクタは、前記スリーブを前記挿入方向へ付勢する付勢手段を備える光トランシーバシステム。
【請求項８】
請求項１乃至請求項７のいずれか一項に記載の光トランシーバシステムであって、
前記コネクタの側板は、前記挿入方向側の端部にて、当該コネクタの外方に突出する爪部を有し、
前記レセプタクル部は、前記爪部と係合することにより、当該コネクタを当該光トランシーバに対して固定するように構成された光トランシーバシステム。
【請求項９】
請求項２乃至請求項８のいずれか一項に記載の光トランシーバシステムであって、
前記光モジュールは、前記基板に表面実装された光トランシーバシステム。
【請求項１０】
光信号を伝送する光ケーブルとコネクタを介して接続されることにより当該光ケーブルを介した光信号の送受信を行う光トランシーバであって、
一対の互いに平行な短辺と一対の互いに平行な長辺とを有する長方形状を有するとともに、所定の挿入方向に直交し、且つ、前記光ケーブルを挿通するための貫通孔が形成された天板と、
前記天板の一対の短辺のそれぞれから前記挿入方向に沿って延び、且つ、互いに平行な一対の側板と、
を備える前記コネクタが、前記挿入方向に沿って当該光トランシーバに挿入されることにより当該コネクタの少なくとも一部を収容し、且つ、当該コネクタを収容している状態において当該コネクタを当該光トランシーバに対して固定するレセプタクル部を備え、
前記コネクタが前記レセプタクル部により当該光トランシーバに対して固定されている状態において、当該コネクタを介して前記光ケーブルと接続されるように構成された光トランシーバ。
【請求項１１】
請求項１０に記載の光トランシーバであって、
電気信号と光信号とを相互に変換する光モジュールと、
前記光モジュールが実装された基板と、
を備え、
前記レセプタクル部は、前記基板と、前記天板の長辺と、が平行になるように、前記コネクタを前記光トランシーバに対して固定する光トランシーバ。
【請求項１２】
請求項１０又は請求項１１に記載の光トランシーバであって、
前記コネクタが前記レセプタクル部により当該光トランシーバに対して固定されている状態において、前記コネクタを挟持する筐体を備える光トランシーバ。
【請求項１３】
請求項１２に記載の光トランシーバであって、
前記筐体は、前記コネクタの側板と当接することにより当該コネクタを挟持するように形成された光トランシーバ。
【請求項１４】
請求項１０乃至請求項１３のいずれか一項に記載の光トランシーバであって、
前記レセプタクル部は、
前記コネクタの側板のうちの前記挿入方向側の端部にて、当該コネクタの外方に突出する爪部と係合することにより、当該コネクタを当該光トランシーバに対して固定するように構成された光トランシーバ。
【請求項１５】
請求項１１乃至請求項１４のいずれか一項に記載の光トランシーバであって、
前記光モジュールは、前記基板に表面実装された光トランシーバ。
【請求項１６】
光信号を伝送する光ケーブルに配設されたコネクタであって、
一対の互いに平行な短辺と一対の互いに平行な長辺とを有する長方形状を有するとともに、所定の挿入方向に直交し、且つ、前記光ケーブルを挿通するための貫通孔が形成された天板と、
前記天板の一対の短辺のそれぞれから前記挿入方向に沿って延び、且つ、互いに平行な一対の側板と、
を備えるコネクタ。
【請求項１７】
請求項１６に記載のコネクタであって、
フェルールを収容するスリーブを備えるコネクタ。
【請求項１８】
請求項１７に記載のコネクタであって、
前記側板の、前記挿入方向に沿って延びる辺の一部から、当該側板に直交する方向に沿って延びる平板状の部材であって、前記スリーブの外壁面と当接するように形成された部材である移動抑制部を備えるコネクタ。
【請求項１９】
請求項１７又は請求項１８に記載のコネクタであって、
前記スリーブを前記挿入方向へ付勢する付勢手段を備えるコネクタ。
【請求項２０】
請求項１６乃至請求項１９のいずれか一項に記載のコネクタであって、
前記側板は、前記挿入方向側の端部にて、当該コネクタの外方に突出する爪部を有するコネクタ。
【請求項２１】
光信号を伝送する光ケーブルと、前記光ケーブルに配設されたコネクタと、前記コネクタを介して前記光ケーブルと接続されることにより当該光ケーブルを介した光信号の送受信を行う光トランシーバと、を含む光トランシーバシステムに適用され、
一対の互いに平行な短辺と一対の互いに平行な長辺とを有する長方形状を有するとともに、所定の挿入方向に直交し、且つ、前記光ケーブルを挿通するための貫通孔が形成された天板と、
前記天板の一対の短辺のそれぞれから前記挿入方向に沿って延び、且つ、互いに平行な一対の側板と、
を備える前記コネクタを、前記挿入方向に沿って前記光トランシーバに挿入し、
前記光トランシーバが備えるレセプタクル部が、前記コネクタの少なくとも一部を収容し、
前記レセプタクル部が、当該コネクタを収容している状態において当該コネクタを当該光トランシーバに対して固定し、
前記光トランシーバと前記光ケーブルとを前記コネクタを介して接続する、接続方法。
【請求項２２】
請求項２１に記載の接続方法であって、
電気信号と光信号とを相互に変換する光モジュールが実装された基板と、前記天板の長辺と、が平行になるように、前記レセプタクル部が前記コネクタを前記光トランシーバに対して固定するように構成された、接続方法。
【請求項２３】
請求項２１又は請求項２２に記載の接続方法であって、
前記光トランシーバが備える筐体が、前記コネクタが前記レセプタクル部により当該光トランシーバに対して固定されている状態において、当該コネクタを挟持する、接続方法。
【請求項２４】
請求項２３に記載の接続方法であって、
前記筐体は、前記コネクタの側板と当接することにより当該コネクタを挟持するように構成された、接続方法。
【発明の詳細な説明】
【技術分野】
【０００１】
本発明は、光ケーブルと、コネクタと、コネクタを介して光ケーブルと接続される光トランシーバと、を含む光トランシーバシステムに関する。
【背景技術】
【０００２】
光信号を伝送する光ケーブルと、光ケーブルに配設されたコネクタと、コネクタを介して光ケーブルと接続されることにより光ケーブルを介した光信号の送受信を行う光トランシーバと、を含む光トランシーバシステムが知られている。
【０００３】
この種の光トランシーバシステムの一つとして特許文献１に記載の光トランシーバシステムにおいて、コネクタは、四角柱の側面を構成する筐体を備える。筐体は、光ケーブルの端部を収容する。光トランシーバは、所定の挿入方向にコネクタが挿入されることにより当該コネクタの一部を収容し、且つ、当該コネクタを収容している状態において当該コネクタを当該光トランシーバに対して固定するレセプタクル部を備える。
【先行技術文献】
【特許文献】
【０００４】
【特許文献１】特開２００９−１８６８１７号公報
【発明の概要】
【発明が解決しようとする課題】
【０００５】
ところで、上記コネクタを挿入方向に直交する平面により切断した断面において、光ケーブルの外方には、いずれの方向においても筐体が存在している。このため、コネクタの断面の大きさが比較的大きくなる。その結果、光トランシーバの大きさも比較的大きくなってしまうという問題があった。
【０００６】
このため、本発明の目的は、上述した課題である「光トランシーバの大きさが比較的大きくなってしまうこと」を解決することが可能な光トランシーバシステムを提供することにある。
【課題を解決するための手段】
【０００７】
かかる目的を達成するため本発明の一形態である光トランシーバシステムは、光信号を伝送する光ケーブルと、上記光ケーブルに配設されたコネクタと、上記コネクタを介して上記光ケーブルと接続されることにより当該光ケーブルを介した光信号の送受信を行う光トランシーバと、を含むシステムである。
【０００８】
更に、上記光トランシーバは、
所定の挿入方向に沿って上記コネクタが当該光トランシーバに挿入されることにより当該コネクタの少なくとも一部を収容し、且つ、当該コネクタを収容している状態において当該コネクタを当該光トランシーバに対して固定するレセプタクル部を備え、
上記コネクタが上記レセプタクル部により当該光トランシーバに対して固定されている状態において、当該コネクタを介して上記光ケーブルと接続されるように構成され、
上記コネクタは、
一対の互いに平行な短辺と一対の互いに平行な長辺とを有する長方形状を有するとともに、上記挿入方向に直交し、且つ、上記光ケーブルを挿通するための貫通孔が形成された天板と、
上記天板の一対の短辺のそれぞれから上記挿入方向に沿って延び、且つ、互いに平行な一対の側板と、
を備える。
【０００９】
また、本発明の他の形態である光トランシーバは、光信号を伝送する光ケーブルとコネクタを介して接続されることにより当該光ケーブルを介した光信号の送受信を行う光トランシーバである。
【００１０】
更に、この光トランシーバは、
一対の互いに平行な短辺と一対の互いに平行な長辺とを有する長方形状を有するとともに、所定の挿入方向に直交し、且つ、上記光ケーブルを挿通するための貫通孔が形成された天板と、
上記天板の一対の短辺のそれぞれから上記挿入方向に沿って延び、且つ、互いに平行な一対の側板と、
を備える上記コネクタが、上記挿入方向に沿って当該光トランシーバに挿入されることにより当該コネクタの少なくとも一部を収容し、且つ、当該コネクタを収容している状態において当該コネクタを当該光トランシーバに対して固定するレセプタクル部を備え、
上記コネクタが上記レセプタクル部により当該光トランシーバに対して固定されている状態において、当該コネクタを介して上記光ケーブルと接続されるように構成される。
【００１１】
また、本発明の他の形態であるコネクタは、光信号を伝送する光ケーブルに配設されたコネクタである。
更に、このコネクタは、
一対の互いに平行な短辺と一対の互いに平行な長辺とを有する長方形状を有するとともに、所定の挿入方向に直交し、且つ、上記光ケーブルを挿通するための貫通孔が形成された天板と、
上記天板の一対の短辺のそれぞれから上記挿入方向に沿って延び、且つ、互いに平行な一対の側板と、
を備える。
【００１２】
また、本発明の他の形態である接続方法は、
光信号を伝送する光ケーブルと、上記光ケーブルに配設されたコネクタと、上記コネクタを介して上記光ケーブルと接続されることにより当該光ケーブルを介した光信号の送受信を行う光トランシーバと、を含む光トランシーバシステムに適用され、
一対の互いに平行な短辺と一対の互いに平行な長辺とを有する長方形状を有するとともに、所定の挿入方向に直交し、且つ、上記光ケーブルを挿通するための貫通孔が形成された天板と、
上記天板の一対の短辺のそれぞれから上記挿入方向に沿って延び、且つ、互いに平行な一対の側板と、
を備える上記コネクタを、上記挿入方向に沿って上記光トランシーバに挿入し、
上記光トランシーバが備えるレセプタクル部が、上記コネクタの少なくとも一部を収容し、
上記レセプタクル部が、当該コネクタを収容している状態において当該コネクタを当該光トランシーバに対して固定し、
上記光トランシーバと上記光ケーブルとを上記コネクタを介して接続する方法である。
【発明の効果】
【００１３】
本発明は、以上のように構成されることにより、光トランシーバの大きさを小さくすることができる。
【図面の簡単な説明】
【００１４】
【図１】本発明の第１実施形態に係る光トランシーバシステムの側面図である。
【図２】本発明の第１実施形態に係る光トランシーバシステムの正面図である。
【図３】本発明の第１実施形態に係る光トランシーバシステムの背面図である。
【図４】本発明の第１実施形態に係る光トランシーバシステムを側面から見た分解図である。
【図５】本発明の第１実施形態に係る光トランシーバシステムを正面から見た分解図である。
【図６】図１のＶＩ−ＶＩ線により光トランシーバを切断した断面図である。
【図７】図６のＶＩＩ−ＶＩＩ線により光トランシーバを切断した断面図である。
【図８】本発明の第２実施形態に係る光トランシーバシステムの正面図である。
【図９】図８のＩＸ−ＩＸ線により光トランシーバを切断した断面図である。
【図１０】図９のＸ−Ｘ線により光トランシーバを切断した断面図である。
【図１１】本発明の第３実施形態に係る光トランシーバシステムの正面図である。
【図１２】図１１のＸＩＩ−ＸＩＩ線により光トランシーバを切断した断面図である。
【図１３】図１１のＸＩＩＩ−ＸＩＩＩ線により光トランシーバを切断した断面図である。
【図１４】本発明の第４実施形態に係る光トランシーバシステムの概略構成を示した図である。
【発明を実施するための形態】
【００１５】
以下、本発明に係る、光トランシーバシステム、光トランシーバ、コネクタ、及び、接続方法、の実施形態について図１〜図１４を参照しながら説明する。
【００１６】
＜第１実施形態＞
図１乃至図３に示したように、第１実施形態に係る光トランシーバシステム１は、光ケーブル１０と、コネクタ２０と、光トランシーバ３０と、を含む。以下、Ｘ軸、Ｙ軸及びＺ軸からなる右手系の直交座標系を用いて説明を続ける。なお、本例では、Ｚ軸正方向は、挿入方向とも呼ばれる。
【００１７】
図１は、Ｘ軸正方向へ向かって光トランシーバシステム１を見た、光トランシーバシステム１の側面図である。図２は、Ｚ軸正方向へ向かって光トランシーバシステム１を見た、光トランシーバシステム１の正面図である。図３は、Ｚ軸負方向へ向かって光トランシーバシステム１を見た、光トランシーバシステム１の背面図である。
【００１８】
光ケーブル１０は、光ファイバと、光ファイバを被覆するシースと、を有するケーブルである。光ケーブル１０は、光信号を伝送する。
【００１９】
コネクタ２０は、光ケーブル１０の端部に配設される。コネクタ２０は、光トランシーバシステム１の分解図である図４及び図５に示したように、スリーブ２１と、天板２２と、一対の側板２３と、一対の補助板（移動抑制部）２４と、バネ（付勢手段）２５と、を備える。
【００２０】
天板２２は、Ｘ軸方向に沿って延びる一対の互いに平行な短辺と、Ｙ軸方向に沿って延びる一対の互いに平行な長辺と、を有する長方形状を有する平板状の部材である。即ち、天板２２は、挿入方向に直交している。更に、天板２２の中央部には、貫通孔２２ａが形成されている。光ケーブル１０は、貫通孔２２ａを通って、天板２２に挿通されている。
【００２１】
各側板２３は、長方形状を有する平板状の部材である。一対の側板２３は、Ｙ軸に直交し、且つ、互いに平行に配置されている。一対の側板２３は、天板２２の一対の短辺のそれぞれから挿入方向に沿って延びている。即ち、一対の側板２３の一方は、天板２２のＹ軸正方向側の端部から挿入方向に沿って延び、且つ、一対の側板２３の他方は、天板２２のＹ軸負方向側の端部から挿入方向に沿って延びている。
【００２２】
各側板２３は、天板２２の短辺と同じ幅を有する。即ち、各側板２３のＸ軸方向における長さは、天板２２のＸ軸方向における長さと略等しい。各側板２３のＺ軸正方向（挿入方向）側の端部には、コネクタ２０の外方に突出する爪部２３ａが形成されている。具体的には、Ｙ軸正方向側の側板２３には、Ｙ軸正方向側に突出する爪部２３ａが形成され、且つ、Ｙ軸負方向側の側板２３には、Ｙ軸負方向側に突出する爪部２３ａが形成されている。
【００２３】
スリーブ２１は、中空円筒形状を有する。スリーブ２１の外径は、側板２３のＸ軸方向における長さよりも短い。スリーブ２１のＺ軸正方向側の端部は、側板２３のＺ軸正方向側の端部よりもＺ軸正方向側に位置している。
【００２４】
スリーブ２１は、天板２２よりもＺ軸正方向側に配置されている。スリーブ２１は、貫通孔２２ａと同軸に配置されている。スリーブ２１のＺ軸負方向側の部分は、光ケーブル１０を収容する。スリーブ２１のＺ軸正方向側の部分は、後述するフェルール３７を収容する。
【００２５】
また、スリーブ２１は、係合部２１ａを有する。係合部２１ａは、スリーブ２１の外壁面にて外方（外径側）へ突出するように形成されている。係合部２１ａは、天板２２及び側板２３に対するスリーブ２１のＺ軸方向における移動を許容するように、各側板２３と接している。係合部２１ａのＸ軸方向における長さは、天板２２のＸ軸方向における長さと略等しい。
【００２６】
各補助板２４は、長方形状を有する平板状の部材である。一対の補助板２４は、Ｘ軸に直交し、且つ、互いに平行に配置されている。各補助板２４のＹ軸方向における長さは、天板２２の長辺よりも僅かに短い。各補助板２４のＺ軸方向における長さは、側板２３のＺ軸方向における長さよりも短い。
【００２７】
一対の補助板２４の一方は、Ｙ軸正方向側の側板２３のＸ軸負方向側の端部（即ち、挿入方向に沿って延びる辺）から、Ｙ軸負方向へ延びている。一対の補助板２４の他方は、Ｙ軸負方向側の側板２３のＸ軸正方向側の端部（即ち、挿入方向に沿って延びる辺）から、Ｙ軸正方向へ延びている。
【００２８】
各補助板２４は、スリーブ２１の係合部２１ａよりもＺ軸正方向側に配置されている。各補助板２４は、スリーブ２１の外壁面のうちの係合部２１ａよりもＺ軸正方向側の部分と当接するように形成されている。
【００２９】
バネ２５は、圧縮コイルバネである。バネ２５は、天板２２と係合部２１ａとの間に配置されている。バネ２５は、天板２２に対して、スリーブ２１をＺ軸正方向（挿入方向）へ付勢する。
【００３０】
光トランシーバ３０は、コネクタ２０を介して光ケーブル１０と接続されることにより光ケーブル１０を介した光信号の送受信（送信及び受信）を行う。光トランシーバ３０は、本体部３１と、ベースカバー３２と、メインカバー３３と、を備える。
【００３１】
本体部３１は、基板３４と、光モジュール３５と、レセプタクル部３６と、フェルール３７と、ピンヘッダ３８と、を備える。
【００３２】
基板３４は、Ｙ軸方向に沿って延びる一対の互いに平行な短辺と、Ｚ軸方向に沿って延びる一対の互いに平行な長辺と、を有する長方形状を有する平板状の部材である。本例では、基板３４は、プリント配線板（ＰＷＢ；Ｐｒｉｎｔｅｄ  Ｗｉｒｉｎｇ  Ｂｏａｒｄ）である。
【００３３】
光モジュール３５は、電気信号と光信号とを相互に変換する。具体的には、光モジュール３５は、フォトダイオード、レンズ、及び、レーザダイオード等を備える。光モジュール３５は、電気信号を受け付け、当該受け付けた電気信号に基づいてレーザダイオードにより光信号を生成する。また、光モジュール３５は、レンズを用いて光信号を受信し、当該受信した光信号に基づいてフォトダイオードにより電気信号を生成する。
【００３４】
光モジュール３５は、基板３４のＸ軸負方向側の表面に表面実装されている。なお、光モジュール３５は、基板３４にスルーホール実装されていてもよい。
【００３５】
レセプタクル部３６は、図４に示したように、基板３４のＺ軸負方向側にて基板３４に隣接するように配置されている。レセプタクル部３６は、直方体状の部材である。レセプタクル部３６には、Ｚ軸負方向側に開口する凹部３６ａが形成されている。凹部３６ａは、Ｚ軸に直交する平面により切断した断面において、天板２２と略同じ形状を有する。
【００３６】
更に、凹部３６ａを形成するＹ軸正方向側の壁面、及び、凹部３６ａを形成するＹ軸負方向側の壁面のそれぞれには、Ｚ軸正方向側の端部にて凹部３６ｂが形成されている。
【００３７】
このような構成により、レセプタクル部３６は、挿入方向に沿ってコネクタ２０がレセプタクル部３６に挿入されることによりコネクタ２０のＺ軸正方向側の端部を収容する。更に、レセプタクル部３６は、凹部３６ｂと爪部２３ａとが係合することにより、コネクタ２０を収容している状態においてコネクタ２０を光トランシーバ３０に対して固定する。
【００３８】
また、上記の構成によれば、レセプタクル部３６は、基板３４と、天板２２の長辺と、が平行になるように、コネクタ２０を光トランシーバ３０に対して固定する。
【００３９】
フェルール３７は、円柱状の部材である。フェルール３７の外径は、スリーブ２１の内径と同一である。フェルール３７は、コネクタ２０がレセプタクル部３６により光トランシーバ３０に対して固定されている状態において、スリーブ２１に収容されるように配置されている。
【００４０】
フェルール３７の一方の端部は、光モジュール３５と接続されている。フェルール３７の他方の端部は、コネクタ２０がレセプタクル部３６により光トランシーバ３０に対して固定されている状態において、光ケーブル１０のＺ軸正方向側の端部と隣接する。
【００４１】
このような構成により、光モジュール３５は、コネクタ２０がレセプタクル部３６により光トランシーバ３０に対して固定されている状態において、コネクタ２０を介して光ケーブル１０と接続される。従って、光ケーブル１０を伝送された光信号は、光モジュール３５へ伝達される。同様に、光モジュール３５により生成された光信号は、光ケーブル１０へ送出される。
【００４２】
ピンヘッダ３８は、基板３４上に形成された配線を経由して光モジュール３５と接続される。ピンヘッダ３８は、光トランシーバ３０と外部の回路とを接続する。ピンヘッダ３８は、図１のＶＩ−ＶＩ線により光トランシーバ３０を切断した断面図である図６、及び、図６のＶＩＩ−ＶＩＩ線により光トランシーバ３０を切断した断面図である図７に示したように、Ｘ軸方向に沿って延びる第１の部分と、Ｙ軸方向に沿って延びる第２の部分と、からなるＬ字型のピンヘッダである。第１の部分は、基板３４に形成された貫通孔に挿通されている。
【００４３】
ベースカバー３２及びメインカバー３３は、本体部３１を内部に収容する直方体状の筐体を構成する。ベースカバー３２及びメインカバー３３は、本体部３１をＹ軸方向において挟み込むことにより本体部３１を、ベースカバー３２及びメインカバー３３に対して固定する。ベースカバー３２は、本体部３１のＹ軸負方向側に配置される。メインカバー３３は、本体部３１のＵ軸正方向側に配置される。
【００４４】
また、ベースカバー３２のＺ軸負方向側の端面には、図５に示したように、切り欠き部３２ａが形成されている。同様に、メインカバー３３のＺ軸負方向側の端面にも、切り欠き部３３ａが形成されている。切り欠き部３２ａ及び切り欠き部３３ａは、筐体のＺ軸負方向側の端面に、天板２２と略同じ形状を有する貫通穴を形成するように、形成されている。
【００４５】
また、切り欠き部３２ａ及び切り欠き部３３ａのそれぞれは、コネクタ２０がレセプタクル部３６により光トランシーバ３０に対して固定されている状態において、側板２３と当接する。このような構成により、ベースカバー３２及びメインカバー３３からなる筐体は、コネクタ２０がレセプタクル部３６により光トランシーバ３０に対して固定されている状態において、コネクタ２０を挟持する。
【００４６】
次に、上記のように構成された光トランシーバシステム１の作動について説明する。
先ず、ユーザは、スリーブ２１とフェルール３７とを同軸に配置し、且つ、基板３４と天板２２の長辺とを平行に配置する。その状態において、ユーザは、コネクタ２０を挿入方向に沿って光トランシーバ３０（レセプタクル部３６）に挿入する。
【００４７】
これにより、レセプタクル部３６は、コネクタ２０の挿入方向側の端部（コネクタ２０の一部）を収容する。そして、スリーブ２１の挿入方向側の端面と、凹部３６ａの底面（凹部３６ａの挿入方向側の壁面）と、が当接する。このとき、爪部２３ａが凹部３６ｂに収容されることにより、爪部２３ａと凹部３６ｂとが係合する。
【００４８】
このようにして、レセプタクル部３６は、コネクタ２０を収容している状態においてコネクタ２０を光トランシーバ３０に対して固定する。
【００４９】
また、このとき、切り欠き部３２ａ及び切り欠き部３３ａのそれぞれは、側板２３と当接する。これにより、ベースカバー３２及びメインカバー３３からなる筐体は、コネクタ２０を挟持する。
【００５０】
この結果、光モジュール３５は、コネクタ２０を介して光ケーブル１０と接続される。その後、光ケーブル１０を伝送された光信号は、光モジュール３５へ伝達される。また、光モジュール３５により生成された光信号は、光ケーブル１０へ送出される。そして、光ケーブル１０へ送出された光信号は、光ケーブル１０を介して光トランシーバ３０と接続された外部の装置へ伝送される。
【００５１】
以上、説明したように、本発明による光トランシーバシステムの第１実施形態によれば、コネクタ２０を挿入方向に直交する平面により切断した断面において、天板２２の短辺方向におけるコネクタの長さ（大きさ）を、四角柱の側面を構成する筐体（側板）を有するコネクタと比較して、筐体の厚さの分だけ小さくすることができる。この結果、光トランシーバ３０の大きさを小さくすることができる。
【００５２】
更に、第１実施形態において、レセプタクル部３６は、基板３４と、天板２２の長辺と、が平行になるように、コネクタ２０を光トランシーバ３０に対して固定する。
これによれば、基板３４と、コネクタ２０の天板２２の長辺と、が直交する場合よりも、基板３４の厚さ方向（Ｘ軸方向）における光トランシーバ３０の大きさを小さくすることができる。
【００５３】
加えて、第１実施形態において、光トランシーバ３０は、コネクタ２０がレセプタクル部３６により光トランシーバ３０に対して固定されている状態において、コネクタ２０を挟持する筐体（ベースカバー３２及びメインカバー３３）を備える。
これによれば、光ケーブル１０に外力が加えられた場合であっても、コネクタ２０が光トランシーバ３０から脱落することを防止することができる。
【００５４】
更に、第１実施形態において、光トランシーバ３０は、側板２３の、挿入方向に沿って延びる辺の一部から、側板２３に直交する方向に沿って延びる平板状の部材であって、スリーブ２１の外壁面と当接するように形成された部材である補助板（移動抑制部）２４を備える。
【００５５】
これによれば、コネクタ２０が光トランシーバ３０に対して固定された状態において、スリーブ２１を、予定された位置に確実に配置することができる。この結果、フェルール３７をスリーブ２１に確実に収容することができる。従って、光モジュール３５と光ケーブル１０とを確実に接続することができる。
【００５６】
加えて、第１実施形態において、コネクタ２０は、スリーブ２１を挿入方向へ付勢するバネ（付勢手段）２５を備える。
これによれば、光ケーブル１０と光トランシーバ３０とを確実に接続することができる。
【００５７】
＜第２実施形態＞
次に、本発明の第２実施形態に係る光トランシーバシステムについて説明する。第２実施形態に係る光トランシーバシステムは、上記第１実施形態に係る光トランシーバシステムに対して、光トランシーバ３０が複数の本体部３１を備える点において相違している。従って、以下、かかる相違点を中心として説明する。
【００５８】
第２実施形態に係る光トランシーバシステム１について、図８乃至図１０を参照しながら説明する。図９は、図８のＩＸ−ＩＸ線により光トランシーバ３０を切断した断面図である。図１０は、図９のＸ−Ｘ線により光トランシーバ３０を切断した断面図である。
【００５９】
図８及び図９に示したように、光トランシーバシステム１は、複数（本例では、４つ）の光ケーブル１０と、光トランシーバ３０と、を含む。更に、光トランシーバ３０は、複数（本例では、４つ）の本体部３１を備える。複数の本体部３１は、Ｘ軸方向において等間隔に配置されている。
【００６０】
この第２実施形態に係る光トランシーバシステム１によっても、第１実施形態と同様の作用及び効果を奏することができる。
【００６１】
なお、第２実施形態の変形例において、光トランシーバ３０は、２つ、３つ、又は、５つ以上の本体部３１を備えていてもよい。
【００６２】
＜第３実施形態＞
次に、本発明の第３実施形態に係る光トランシーバシステムについて説明する。第３実施形態に係る光トランシーバシステムは、上記第１実施形態に係る光トランシーバシステムに対して、ピンヘッダ３８のうちの筐体の外部へ突出している部分が、基板３４と直交する方向へ延びるように光トランシーバ３０が構成されている点において相違している。従って、以下、かかる相違点を中心として説明する。
【００６３】
第３実施形態に係る光トランシーバシステム１について、図１１乃至図１３を参照しながら説明する。図１２は、図１１のＸＩＩ−ＸＩＩ線により光トランシーバ３０を切断した断面図である。図１３は、図１１のＸＩＩＩ−ＸＩＩＩ線により光トランシーバ３０を切断した断面図である。
【００６４】
ベースカバー３２及びメインカバー３３は、基板３４がＹ軸に直交する平面を構成するように、基板３４を挟持することにより、ベースカバー３２及びメインカバー３３に対して本体部３１を固定する。また、レセプタクル部３６は、第１実施形態と同様に、基板３４と、天板２２の長辺と、が平行になるように、コネクタ２０を光トランシーバ３０に対して固定する。
【００６５】
ピンヘッダ３８は、Ｙ軸方向に沿って延びる直線型のピンヘッダである。ピンヘッダ３８は、基板３４に形成された貫通孔と、ベースカバー３２に形成された貫通孔と、のそれぞれに挿通されている。ピンヘッダ３８は、ベースカバー３２から外部（Ｙ軸負方向）へ突出している。
【００６６】
この第３実施形態に係る光トランシーバシステム１によっても、第１実施形態と同様の作用及び効果を奏することができる。
【００６７】
＜第４実施形態＞
次に、本発明の第４実施形態に係る光トランシーバシステムについて図１４を参照しながら説明する。
第４実施形態に係る光トランシーバシステム１００は、光信号を伝送する光ケーブル１１０と、光ケーブル１１０に配設されたコネクタ１２０と、コネクタ１２０を介して光ケーブル１１０と接続されることにより光ケーブル１１０を介した光信号の送受信を行う光トランシーバ１３０と、を含むシステムである。
【００６８】
更に、光トランシーバ１３０は、
所定の挿入方向に沿ってコネクタ１２０が光トランシーバ１３０に挿入されることによりコネクタ１２０の少なくとも一部を収容し、且つ、コネクタ１２０を収容している状態においてコネクタ１２０を光トランシーバ１３０に対して固定するレセプタクル部１３１を備え、
コネクタ１２０がレセプタクル部１３１により光トランシーバ１３０に対して固定されている状態において、コネクタ１２０を介して光ケーブル１１０と接続されるように構成され、
コネクタ１２０は、
一対の互いに平行な短辺と一対の互いに平行な長辺とを有する長方形状を有するとともに、上記挿入方向に直交し、且つ、光ケーブル１１０を挿通するための貫通孔が形成された天板１２１と、
天板１２１の一対の短辺のそれぞれから上記挿入方向に沿って延び、且つ、互いに平行な一対の側板１２２と、
を備える。
【００６９】
これによれば、コネクタ１２０を挿入方向に直交する平面により切断した断面において、天板１２１の短辺方向におけるコネクタ１２０の長さ（大きさ）を、四角柱の側面を構成する筐体（側板）を有するコネクタと比較して、筐体の厚さの分だけ小さくすることができる。この結果、光トランシーバ１３０の大きさを小さくすることができる。
【００７０】
この場合、上記光トランシーバは、
電気信号と光信号とを相互に変換する光モジュールと、
上記光モジュールが実装された基板と、
を備え、
上記レセプタクル部は、上記基板と、上記天板の長辺と、が平行になるように、上記コネクタを上記光トランシーバに対して固定することが好適である。
【００７１】
これによれば、基板と、コネクタの天板の長辺と、が直交する場合よりも、基板の厚さ方向における光トランシーバの大きさを小さくすることができる。
【００７２】
この場合、上記光トランシーバは、
上記コネクタが上記レセプタクル部により当該光トランシーバに対して固定されている状態において、上記コネクタを挟持する筐体を備えることが好適である。
【００７３】
これによれば、光ケーブルに外力が加えられた場合であっても、コネクタが光トランシーバから脱落することを防止することができる。
【００７４】
この場合、上記筐体は、上記コネクタの側板と当接することにより当該コネクタを挟持するように形成されることが好適である。
【００７５】
この場合、上記コネクタは、スリーブを備え、
上記光モジュールは、上記コネクタが上記レセプタクル部により当該光トランシーバに対して固定されている状態において、上記スリーブに収容されるフェルールを備えることが好適である。
【００７６】
この場合、上記コネクタは、
上記側板の、上記挿入方向に沿って延びる辺の一部から、当該側板に直交する方向に沿って延びる平板状の部材であって、上記スリーブの外壁面と当接するように形成された部材である移動抑制部を備えることが好適である。
【００７７】
これによれば、コネクタが光トランシーバに対して固定された状態において、スリーブを、予定された位置に確実に配置することができる。この結果、フェルールをスリーブに確実に収容することができる。従って、光モジュールと光ケーブルとを確実に接続することができる。
【００７８】
この場合、上記コネクタは、上記スリーブを上記挿入方向へ付勢する付勢手段を備えることが好適である。
これによれば、光ケーブルと光トランシーバとを確実に接続することができる。
【００７９】
この場合、上記コネクタの側板は、上記挿入方向側の端部にて、当該コネクタの外方に突出する爪部を有し、
上記レセプタクル部は、上記爪部と係合することにより、当該コネクタを当該光トランシーバに対して固定するように構成されることが好適である。
【００８０】
この場合、上記光モジュールは、上記基板に表面実装されることが好適である。
【００８１】
また、本発明の他の形態である光トランシーバは、
光信号を伝送する光ケーブルとコネクタを介して接続されることにより当該光ケーブルを介した光信号の送受信を行う光トランシーバである。
【００８２】
更に、この光トランシーバは、
一対の互いに平行な短辺と一対の互いに平行な長辺とを有する長方形状を有するとともに、所定の挿入方向に直交し、且つ、上記光ケーブルを挿通するための貫通孔が形成された天板と、
上記天板の一対の短辺のそれぞれから上記挿入方向に沿って延び、且つ、互いに平行な一対の側板と、
を備える上記コネクタが、上記挿入方向に沿って当該光トランシーバに挿入されることにより当該コネクタの少なくとも一部を収容し、且つ、当該コネクタを収容している状態において当該コネクタを当該光トランシーバに対して固定するレセプタクル部を備え、
上記コネクタが上記レセプタクル部により当該光トランシーバに対して固定されている状態において、当該コネクタを介して上記光ケーブルと接続されるように構成される。
【００８３】
この場合、上記光トランシーバは、
電気信号と光信号とを相互に変換する光モジュールと、
上記光モジュールが実装された基板と、
を備え、
上記レセプタクル部は、上記基板と、上記天板の長辺と、が平行になるように、上記コネクタを上記光トランシーバに対して固定することが好適である。
【００８４】
この場合、上記光トランシーバは、
上記コネクタが上記レセプタクル部により当該光トランシーバに対して固定されている状態において、上記コネクタを挟持する筐体を備えることが好適である。
【００８５】
この場合、上記筐体は、上記コネクタの側板と当接することにより当該コネクタを挟持するように形成されることが好適である。
【００８６】
この場合、上記レセプタクル部は、
上記コネクタの側板のうちの上記挿入方向側の端部にて、当該コネクタの外方に突出する爪部と係合することにより、当該コネクタを当該光トランシーバに対して固定するように構成されることが好適である。
【００８７】
この場合、上記光モジュールは、上記基板に表面実装されることが好適である。
【００８８】
また、本発明の他の形態であるコネクタは、光信号を伝送する光ケーブルに配設されたコネクタである。
更に、このコネクタは、
一対の互いに平行な短辺と一対の互いに平行な長辺とを有する長方形状を有するとともに、所定の挿入方向に直交し、且つ、上記光ケーブルを挿通するための貫通孔が形成された天板と、
上記天板の一対の短辺のそれぞれから上記挿入方向に沿って延び、且つ、互いに平行な一対の側板と、
を備える。
【００８９】
この場合、上記コネクタは、フェルールを収容するスリーブを備えることが好適である。
【００９０】
この場合、上記コネクタは、
上記側板の、上記挿入方向に沿って延びる辺の一部から、当該側板に直交する方向に沿って延びる平板状の部材であって、上記スリーブの外壁面と当接するように形成された部材である移動抑制部を備えることが好適である。
【００９１】
この場合、上記コネクタは、
上記スリーブを上記挿入方向へ付勢する付勢手段を備えることが好適である。
【００９２】
この場合、上記側板は、上記挿入方向側の端部にて、当該コネクタの外方に突出する爪部を有することが好適である。
【００９３】
また、本発明の他の形態である接続方法は、
光信号を伝送する光ケーブルと、上記光ケーブルに配設されたコネクタと、上記コネクタを介して上記光ケーブルと接続されることにより当該光ケーブルを介した光信号の送受信を行う光トランシーバと、を含む光トランシーバシステムに適用され、
一対の互いに平行な短辺と一対の互いに平行な長辺とを有する長方形状を有するとともに、所定の挿入方向に直交し、且つ、上記光ケーブルを挿通するための貫通孔が形成された天板と、
上記天板の一対の短辺のそれぞれから上記挿入方向に沿って延び、且つ、互いに平行な一対の側板と、
を備える上記コネクタを、上記挿入方向に沿って上記光トランシーバに挿入し、
上記光トランシーバが備えるレセプタクル部が、上記コネクタの少なくとも一部を収容し、
上記レセプタクル部が、当該コネクタを収容している状態において当該コネクタを当該光トランシーバに対して固定し、
上記光トランシーバと上記光ケーブルとを上記コネクタを介して接続する方法である。
【００９４】
この場合、上記接続方法は、
電気信号と光信号とを相互に変換する光モジュールが実装された基板と、上記天板の長辺と、が平行になるように、上記レセプタクル部が上記コネクタを上記光トランシーバに対して固定するように構成されることが好適である。
【００９５】
この場合、上記接続方法は、
上記光トランシーバが備える筐体が、上記コネクタが上記レセプタクル部により当該光トランシーバに対して固定されている状態において、当該コネクタを挟持することが好適である。
【００９６】
この場合、上記筐体は、上記コネクタの側板と当接することにより当該コネクタを挟持するように構成されることが好適である。
【００９７】
上述した構成を有する、光トランシーバ、コネクタ、又は、接続方法、の発明であっても、上記光トランシーバシステムと同様の作用を有するために、上述した本発明の目的を達成することができる。
【００９８】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【００９９】
例えば、上記実施形態において、光トランシーバ３０は、付勢手段としてバネ２５を備えていたが、バネ２５に代えて、ゴム等の弾性体を付勢手段として備えていてもよい。また、他の変形例において、光トランシーバ３０は、付勢手段を備えていなくてもよい。
【０１００】
また、上記実施形態の他の変形例として、上述した実施形態及び変形例の任意の組み合わせが採用されてもよい。
【産業上の利用可能性】
【０１０１】
本発明は、光ケーブルを介して光信号の送受信を行う光通信システム等に適用可能である。
【符号の説明】
【０１０２】
１      光トランシーバシステム
１０    光ケーブル
２０    コネクタ
２１    スリーブ
２１ａ  係合部
２２    天板
２２ａ  貫通孔
２３    側板
２３ａ  爪部
２４    補助板
２５    バネ
３０    光トランシーバ
３１    本体部
３２    ベースカバー
３２ａ  切り欠き部
３３    メインカバー
３３ａ  切り欠き部
３４    基板
３５    光モジュール
３６    レセプタクル部
３６ａ  凹部
３６ｂ  凹部
３７    フェルール
３８    ピンヘッダ
１００  光トランシーバシステム
１１０  光ケーブル
１２０  コネクタ
１２１  天板
１２２  側板
１３０  光トランシーバ
１３１  レセプタクル部
【図１】
2011099996.tif 000003
【図２】
2011099996.tif 000004
【図３】
2011099996.tif 000005
【図４】
2011099996.tif 000006
【図５】
2011099996.tif 000007
【図６】
2011099996.tif 000008
【図７】
2011099996.tif 000009
【図８】
2011099996.tif 000010
【図９】
2011099996.tif 000011
【図１０】
2011099996.tif 000012
【図１１】
2011099996.tif 000013
【図１２】
2011099996.tif 000014
【図１３】
2011099996.tif 000015
【図１４】
2011099996.tif 000016